(57)【要約】【課題】  対物レンズの傾角調整を安価な構造で精密に行うこと。【解決手段】  中央部２１ａを円弧状に弯曲させ両端部２１ｂ，２１ｃを直線状に形成した略Ｕ字状板ばねからなる調整ばね２１を有し、該調整ばね２１の両端部２１ｂ，２１ｃを押圧Ｐすることにより互いに接近させて押さえ部２０Ａと受座部２Ａとの間に挿入し、その押圧Ｐを解除することにより所定のばね力Ｆで調整ばね２１の両端部２１ｂ，２１ｃを押さえ部２０Ａと受座部２Ａとに押し付け、その調整ばね２１と両傾角調整ボルト１３とによる傾角調整を行い、アクトベース２をオプチベース１に接着剤ＵＶで固定した後、前記調整ばね２１の両端部２１ｂ，２１ｃを押圧Ｐして互いに接近させて引っ張ることにより押さえ部２０Ａと受座部２Ａとの間から離脱させるようにした。【選択図】        図３
2007179616.tif 000002
【特許請求の範囲】
【請求項１】
対物レンズ付きレンズホルダを支持するアクトベースがオプチベース上に配置され、２
本の傾角調整ボルトがオプチベースの貫通孔を通ってアクトベースに所定間隔をおいて形
成したねじ孔にそれぞれ螺合され、その両傾角調整ボルトから所定間隔離れた位置でアク
トベースの挿通孔を通ってオプチベースのねじ孔に支持ボルトが螺着され、該支持ボルト
に遊嵌されてアクトベースをオプチベースに向けて付勢する調整ばねが設けられており、
その調整ばねに抗して各傾角調整ボルトのねじ込み量を調整してアクトベースの位置を微
調整することにより、対物レンズの光軸を半導体レーザから発したレーザ光の光軸と一致
させ、アクトベースをオプチベースに接着剤で固定するようにした光ピックアップにおい
て、前記支持ボルトを省略し、前記調整ばねが、中央部を円弧状に弯曲させ両端部を直線
状に形成した略Ｕ字状板ばねからなり、該調整ばねの両端部間に間隔保持ばねが介在され
ると共に、その調整ばねの両端部を部分的に切り起こして形成した舌片が互いに接近する
方向に折り曲げられて前記間隔保持ばねの両端部に係合され、前記調整ばねの一方端部に
対向する押さえ部が脚部を介してオプチベースに一体形成されると共に、その調整ばねの
他方端部に対向する受座部がアクトベースに一体形成され、前記調整ばねの両端部の先端
に係合片が一体突設されると共に、該両係合片が互いに逆向きにほぼ直角に折り曲げられ
、その両係合片に対向して前記押さえ部及び受座部の対向面に係合孔が形成されており、
前記調整ばねの両端部を押圧することにより互いに接近させて前記押さえ部と受座部との
間に挿入し、その押圧を解除することにより各係合片を各係合孔に係合させ所定のばね力
で調整ばねの両端部を押さえ部と受座部とに押し付け、調整ばねの両端部を押圧すること
により互いに接近させて引っ張ることにより押さえ部と受座部との間から離脱させるよう
にしたことを特徴とする光ピックアップ。
【請求項２】
対物レンズ付きレンズホルダを支持するアクトベースがオプチベース上に配置され、２
本の傾角調整ボルトがオプチベースの貫通孔を通ってアクトベースに所定間隔をおいて形
成したねじ孔にそれぞれ螺合され、その両傾角調整ボルトから所定間隔離れた位置でアク
トベースをオプチベースに向けて付勢する調整ばねが設けられており、その調整ばねに抗
して各傾角調整ボルトのねじ込み量を調整してアクトベースの位置を微調整することによ
り、対物レンズの光軸を半導体レーザから発したレーザ光の光軸と一致させ、アクトベー
スをオプチベースに接着剤で固定するようにした光ピックアップにおいて、前記調整ばね
が、中央部を円弧状に弯曲させ両端部を直線状に形成した略Ｕ字状板ばねからなり、該調
整ばねの一方端部に対向する押さえ部が脚部を介してオプチベースに一体形成されると共
に、その調整ばねの他方端部に対向する受座部がアクトベースに一体形成されており、前
記調整ばねの両端部を押圧することにより互いに接近させて前記押さえ部と受座部との間
に挿入し、その押圧を解除することにより所定のばね力で調整ばねの両端部を押さえ部と
受座部とに押し付け、調整ばねの両端部を押圧することにより互いに接近させて引っ張る
ことにより押さえ部と受座部との間から離脱させるようにしたことを特徴とする光ピック
アップ。
【請求項３】
前記調整ばねの両端部の先端に係合片が一体突設されると共に、該両係合片が互いに逆
向きにほぼ直角に折り曲げられ、その両係合片に対向して押さえ部及び受座部の対向面に
係合孔が形成されており、前記調整ばねの両端部を押圧することにより互いに接近させて
前記押さえ部と受座部との間に挿入し、その押圧を解除することにより各係合片を各係合
孔に係合させるようにしたことを特徴とする請求項２に記載の光ピックアップ。
【請求項４】
前記調整ばねの両端部間に間隔保持ばねが介在されていることを特徴とする請求項２ま
たは３に記載の光ピックアップ。
【請求項５】
前記調整ばねの両端部を部分的に切り起こして形成した舌片が互いに接近する方向に折
り曲げられて前記間隔保持ばねの両端部に係合されていることを特徴とする請求項４に記
載の光ピックアップ。
【発明の詳細な説明】
【技術分野】
【０００１】
本発明は、対物レンズの傾角調整を安価な構造で精密に行うことができるようにした光
ピックアップに関する。
【背景技術】
【０００２】
従来、光ピックアップに関する技術として特許文献１などの記載したものがあり、その
一例を図８〜図１０に基づいて説明すると、これは、一側縁に形成したラック１ａに噛合
するピニオン（図示せず）を正逆回転させることによりディスクＤの半径方向に沿って往
復移動可能な合成樹脂製オプチベース１を有し、該オプチベース１の天板部１Ａに一体形
成した受支台１ｂに金属板製アクトベース２の下面に一体突設した突起部２ａを揺動可能
に係合させることにより、そのアクトベース２がオプチベース１の天板部１Ａ上に所定間
隔αをおいて配置されている。
【０００３】
前記アクトベース２のほぼ中央に立設したシャフト３に摺動及び揺動可能に嵌合するレ
ンズホルダ４に対物レンズＯＬが配置され、該レンズホルダ４のボス４ａにフォーカスコ
イル５と磁性片６とが外嵌されると共に、そのレンズホルダ４の外側面にトラッキングコ
イル７が固着され、レンズホルダ４を間に挟んで一対のマグネット８がアクトベース２か
ら起立する左右一対の側板部２ｂ，２ｃにそれぞれ固着されており、両マグネット８と磁
性片６との間で作用する磁気ばねによりレンズホルダ４を浮かせた状態で、プリント配線
９を介してフォーカスコイル５に通電することにより、レンズホルダ４をシャフト３に沿
ってフォーカス方向ａ，ｂに摺動させると共に、トラッキングコイル７に通電することに
より、レンズホルダ４をシャフト３回りでトラッキング方向ｃ，ｄに揺動させ、ディスク
Ｄの所定のトラックを追従する。
【０００４】
前記アクトベース２に所定間隔をおいて略Ｌ字状連結枠２ｄ，２ｅが一体形成されると
共に、該各連結枠２ｄ，２ｅの先端部に形成したねじ孔１１に対向してオプチベース１の
天板部１Ａに貫通孔１２が同心状に形成されており、２本の傾角調整ボルト１３を各貫通
孔１２を通って各連結枠２ｄ，２ｅのねじ孔１１に螺合させると共に、該各傾角調整ボル
ト１３の頭部１３ａを天板部１Ａの下面に当接させ、その両傾角調整ボルト１３から所定
間隔離れた位置でアクトベース２に一体突設した受座部２Ａに挿通孔１４が貫設されると
共に、該挿通孔１４に対向して天板部１Ａにねじ孔１５が同心状に形成されており、１本
の支持ボルト１６を挿通孔１４を通ってねじ孔１５に螺合させ、該支持ボルト１６の頭部
１６ａと受座部２Ａとの間でその支持ボルト１６に遊嵌することによりアクトベース２を
オプチベース１に向けて付勢する調整ばね１７が設けられており、その調整ばね１７に抗
して各傾角調整ボルト１３のねじ込み量を調整してアクトベース２の位置を微調整するこ
とにより、対物レンズＯＬの光軸Ｏ１をラジアル方向ｅ，ｆ及びタンゼンシャル方向ｇ，
ｈに傾動させて、その対物レンズＯＬの光軸Ｏ１を半導体レーザ（図示せず）から発した
レーザ光の光軸Ｏ２と一致させ、該アクトベース２と天板部１Ａとの間の複数箇所に紫外
線硬化性接着剤ＵＶを充填し、該接着剤ＵＶに紫外線を照射して硬化させることにより、
そのアクトベース２をオプチベース１に固定する。なお、図９中、ＱＷＰはコリメートレ
ンズである。
【特許文献１】特開２００３−３１７２６５号公報
【発明の開示】
【発明が解決しようとする課題】
【０００５】
上記従来の構成では、対物レンズＯＬの傾角調整を行うために、２本の傾角調整ボルト
１３の他に、支持ボルト１６及び調整ばね１７を用いているが、接着剤ＵＶでアクトベー
ス２をオプチベース１に固定した後は、その支持ボルト１６及び調整ばね１７が不要とな
り、それらを用いている分だけコストアップになっている。
【０００６】
そこで、接着剤ＵＶによるアクトベース２の固定終了後、ドライバなどの工具で支持ボ
ルト１６のねじ込みを解除して調整ばね１７を離脱させることが考えられるが、そのねじ
込み解除の作業中にドライバなどの工具や支持ボルト１６がアクトベース２に接触するな
どしてせっかく微調整したアクトベース２の位置がずれるおそれがあり、その位置ずれが
生じると、対物レンズＯＬの傾角調整が無意味なものになる。
【０００７】
本発明は、上記従来の欠点に鑑み、対物レンズの傾角調整を安価な構造で精密に行うこ
とができるようにした光ピックアップを提供することを目的としている。
【課題を解決するための手段】
【０００８】
上記目的を達成するため、請求項１に記載の発明は、対物レンズ付きレンズホルダを支
持するアクトベースがオプチベース上に配置され、２本の傾角調整ボルトがオプチベース
の貫通孔を通ってアクトベースに所定間隔をおいて形成したねじ孔にそれぞれ螺合され、
その両傾角調整ボルトから所定間隔離れた位置でアクトベースの挿通孔を通ってオプチベ
ースのねじ孔に支持ボルトが螺着され、該支持ボルトに遊嵌されてアクトベースをオプチ
ベースに向けて付勢する調整ばねが設けられており、その調整ばねに抗して各傾角調整ボ
ルトのねじ込み量を調整してアクトベースの位置を微調整することにより、対物レンズの
光軸を半導体レーザから発したレーザ光の光軸と一致させ、アクトベースをオプチベース
に接着剤で固定するようにした光ピックアップにおいて、前記支持ボルトを省略し、前記
調整ばねが、中央部を円弧状に弯曲させ両端部を直線状に形成した略Ｕ字状板ばねからな
り、該調整ばねの両端部間に間隔保持ばねが介在されると共に、その調整ばねの両端部を
部分的に切り起こして形成した舌片が互いに接近する方向に折り曲げられて前記間隔保持
ばねの両端部に係合され、前記調整ばねの一方端部に対向する押さえ部が脚部を介してオ
プチベースに一体形成されると共に、その調整ばねの他方端部に対向する受座部がアクト
ベースに一体形成され、前記調整ばねの両端部の先端に係合片が一体突設されると共に、
該両係合片が互いに逆向きにほぼ直角に折り曲げられ、その両係合片に対向して前記押さ
え部及び受座部の対向面に係合孔が形成されており、前記調整ばねの両端部を押圧するこ
とにより互いに接近させて前記押さえ部と受座部との間に挿入し、その押圧を解除するこ
とにより各係合片を各係合孔に係合させ所定のばね力で調整ばねの両端部を押さえ部と受
座部とに押し付け、調整ばねの両端部を押圧することにより互いに接近させて引っ張るこ
とにより押さえ部と受座部との間から離脱させるようにしたことを特徴としている。
【０００９】
請求項２に記載の発明は、対物レンズ付きレンズホルダを支持するアクトベースがオプ
チベース上に配置され、２本の傾角調整ボルトがオプチベースの貫通孔を通ってアクトベ
ースに所定間隔をおいて形成したねじ孔にそれぞれ螺合され、その両傾角調整ボルトから
所定間隔離れた位置でアクトベースをオプチベースに向けて付勢する調整ばねが設けられ
ており、その調整ばねに抗して各傾角調整ボルトのねじ込み量を調整してアクトベースの
位置を微調整することにより、対物レンズの光軸を半導体レーザから発したレーザ光の光
軸と一致させ、アクトベースをオプチベースに接着剤で固定するようにした光ピックアッ
プにおいて、前記調整ばねが、中央部を円弧状に弯曲させ両端部を直線状に形成した略Ｕ
字状板ばねからなり、該調整ばねの一方端部に対向する押さえ部が脚部を介してオプチベ
ースに一体形成されると共に、その調整ばねの他方端部に対向する受座部がアクトベース
に一体形成されており、前記調整ばねの両端部を押圧することにより互いに接近させて前
記押さえ部と受座部との間に挿入し、その押圧を解除することにより所定のばね力で調整
ばねの両端部を押さえ部と受座部とに押し付け、調整ばねの両端部を押圧することにより
互いに接近させて引っ張ることにより押さえ部と受座部との間から離脱させるようにした
ことを特徴としている。
【００１０】
請求項３に記載の発明は、請求項２に記載の発明において、前記調整ばねの両端部の先
端に係合片が一体突設されると共に、該両係合片が互いに逆向きにほぼ直角に折り曲げら
れ、その両係合片に対向して押さえ部及び受座部の対向面に係合孔が形成されており、前
記調整ばねの両端部を押圧することにより互いに接近させて前記押さえ部と受座部との間
に挿入し、その押圧を解除することにより各係合片を各係合孔に係合させるようにしたこ
とを特徴としている。
【００１１】
請求項４に記載の発明は、請求項２または３に記載の発明において、前記調整ばねの両
端部間に間隔保持ばねが介在されていることを特徴としている。
【００１２】
請求項５に記載の発明は、請求項４に記載の発明において、前記調整ばねの両端部を部
分的に切り起こして形成した舌片が互いに接近する方向に折り曲げられて前記間隔保持ば
ねの両端部に係合されていることを特徴としている。
【発明の効果】
【００１３】
請求項１に記載の発明は第２の実施の形態（図６及び図７参照）に対応するものであっ
て、これによれば、略Ｕ字状板ばねからなる調整ばねをオプチベースの押さえ部とアクト
ベースの受座部との間に挿入し、対物レンズの傾角調整を行ってアクトベースをオプチベ
ースに接着剤で固定した後、前記調整ばねを押さえ部と受座部との間から離脱させるよう
になっており、その調整ばねを傾角調整の治具として使用するだけで光ピックアップの構
成部品とせず、しかも、従来の調整ばね用支持ボルトに相当するものも不要であるから、
その調整ばね及び支持ボルトを省略した分だけ部品点数が少なくなり、構造が簡単で製作
費を安くすることができる。
【００１４】
また、調整ばねの両端部を押圧することにより互いに接近させて押さえ部と受座部との
間に挿入し、その押圧を解除するだけで、該調整ばねの両端部の先端に一体突設した係合
片が押さえ部及び受座部に形成した各係合孔に係合されるから、傾角調整作業中に、その
調整ばねが押さえ部と受座部との間から不測に外れるおそれがなく、傾角調整作業を円滑
に行うことができる。
【００１５】
更に、接着剤によるアクトベースの固定終了後、調整ばねの両端部を押圧することによ
り互いに接近させて各係合片を各係合孔から抜き出し、該調整ばねを引っ張るだけで、そ
の調整ばねを押さえ部と受座部との間から簡単に離脱させることができ、微調整を終えた
アクトベースの位置が狂うおそれがない。
【００１６】
また更に、間隔保持ばねにより調整ばねの両端部間の間隔が所定通りに保持されている
ので、該調整ばねの両端部を押さえ部と受座部とに確実に押し付けて、所望のばね力を発
生させることができる。
【００１７】
しかも、間隔保持ばねを調整ばねの両端部間に差し込んで舌片に係合させるだけで、該
間隔保持ばねを所定位置に確実に係止してその位置から不測に外れないようにすることが
できる。
【００１８】
請求項２に記載の発明は基本形態に対応するものであって、これによれば、略Ｕ字状板
ばねからなる調整ばねをオプチベースの押さえ部とアクトベースの受座部との間に挿入し
、対物レンズの傾角調整を行ってアクトベースをオプチベースに接着剤で固定した後、前
記調整ばねを押さえ部と受座部との間から離脱させるようになっており、その調整ばねを
傾角調整の治具として使用するだけで光ピックアップの構成部品とせず、しかも、従来の
調整ばね用支持ボルトに相当するものも不要であるから、その調整ばね及び支持ボルトを
省略した分だけ部品点数が少なくなり、構造が簡単で製作費を安くすることができる。
【００１９】
請求項３に記載の発明によれば、調整ばねの両端部を押圧することにより互いに接近さ
せて押さえ部と受座部との間に挿入し、その押圧を解除するだけで、該調整ばねの両端部
の先端に一体突設した係合片が押さえ部及び受座部に形成した各係合孔に係合されるから
、傾角調整作業中に、その調整ばねが押さえ部と受座部との間から不測に外れるおそれが
なく、傾角調整作業を円滑に行うことができる。
【００２０】
また、接着剤によるアクトベースの固定終了後、調整ばねの両端部を押圧することによ
り互いに接近させて各係合片を各係合孔から抜き出し、該調整ばねを引っ張るだけで、そ
の調整ばねを押さえ部と受座部との間から簡単に離脱させることができ、微調整を終えた
アクトベースの位置が狂うおそれがない。
【００２１】
請求項４に記載の発明によれば、間隔保持ばねにより調整ばねの両端部間の間隔が所定
通りに保持されているので、該調整ばねの両端部を押さえ部と受座部とに確実に押し付け
て、所望のばね力を発生させることができる。
【００２２】
請求項５に記載の発明によれば、間隔保持ばねを調整ばねの両端部間に差し込んで舌片
に係合させるだけで、該間隔保持ばねを所定位置に確実に係止してその位置から不測に外
れないようにすることができる。
【発明を実施するための最良の形態】
【００２３】
図１〜図５は本発明の第１の実施の形態である光ピックアップを示すものであって、ア
クトベース２の受座部２Ａに隣接して合成樹脂製オプチベース１に略Ｌ字状枠体２０が一
体突設され、該枠体２０が、受座部２Ａに対向する押さえ部２０Ａと、該押さえ部２０Ａ
をオプチベース１に一体連結する脚部２０Ｂとからなり、前記押さえ部２０Ａと受座部２
Ａとの間に挿入される調整ばね２１を有している。上記以外の構成は図８〜図１０に示す
構成とほぼ同じであるから、同一部分に同一符号を付してその説明を省略する。
【００２４】
前記調整ばね２１は、図４に示すように、中央部２１ａを円弧状に弯曲させ両端部２１
ｂ，２１ｃを直線状に形成した略Ｕ字状板ばねからなり、その両端部２１ｂ，２１ｃを互
いに接近する方向に押圧Ｐすることにより外向きのばね力Ｆを発生させる。また、前記両
端部２１ｂ，２１ｃの先端に係合片２２が一体突設されると共に、該両係合片２２が互い
に逆向きにほぼ直角に折り曲げられ、その両係合片２２に対向して押さえ部２０Ａ及び受
座部２Ａの対向面に係合孔２３が形成されている。
【００２５】
図５（ａ）に示すように、調整ばね２１の両端部２１ｂ，２１ｃ間の間隔ｍを非押圧時
に押さえ部２０Ａと受座部２Ａとの間の対向間隔ｔよりも大きくなるように設定しており
、調整ばね２１の両端部２１ｂ，２１ｃを押圧Ｐして、間隔ｍを対向間隔ｔよりも小さく
することにより、所定のばね力Ｆを発生させる。
【００２６】
傾角調整の手順を説明すると、図５（ａ）に示すように、調整ばね２１の両端部２１ｂ
，２１ｃを指部により押圧Ｐして互いに接近させた状態で、その両端部２１ｂ，２１ｃを
押さえ部２０Ａと受座部２Ａとの間に挿入し、押圧Ｐを解除して各係合片２２を各係合孔
２３に係合させると共に、両端部２１ｂ，２１ｃを所定のばね力Ｆで押さえ部２０Ａと受
座部２Ａとに押し付ける〔図５（ａ）仮想線参照〕。続いて、調整ばね２１のばね力Ｆに
抗して各傾角調整ボルト１３のねじ込み量を調整してアクトベース２の位置を微調整する
ことにより、対物レンズＯＬの光軸Ｏ１をラジアル方向ｅ，ｆ及びタンゼンシャル方向ｇ
，ｈに傾動させて、その対物レンズＯＬの光軸Ｏ１を半導体レーザ（図示せず）から発し
たレーザ光の光軸Ｏ２と一致させ、該アクトベース２と天板部１Ａとの間の複数箇所に紫
外線硬化性接着剤ＵＶを充填し、該接着剤ＵＶに紫外線を照射して硬化させることにより
、そのアクトベース２をオプチベース１に固定する（図１〜図３参照）。
【００２７】
その後、調整ばね２１の両端部２１ｂ，２１ｃを押圧Ｐして互いに接近させることによ
り各係合片２２を各係合孔２３から抜き出した後、図５（ｂ）に示すように、該調整ばね
２１を引っ張ることにより、その調整ばね２１を押さえ部２０Ａと受座部２Ａとの間から
離脱させる。
【００２８】
上記構成によれば、略Ｕ字状板ばねからなる調整ばね２１をオプチベース１の押さえ部
２０Ａとアクトベース２の受座部２Ａとの間に挿入し〔図５（ａ）参照〕、対物レンズＯ
Ｌの傾角調整を行ってアクトベース２をオプチベース１に接着剤ＵＶで固定した後、前記
調整ばね２１を押さえ部２０Ａと受座部２Ａとの間から離脱させるようになっており、そ
の調整ばね２１を傾角調整の治具として使用するだけで光ピックアップの構成部品とせず
、しかも、従来の支持ボルト１６に相当するものも不要であるから（図１０参照）、その
調整ばね２１及び支持ボルト１６を省略した分だけ部品点数が少なくなり、構造が簡単で
製作費を安くすることができる。
【００２９】
また、調整ばね２１の両端部２１ｂ，２１ｃを押圧Ｐすることにより互いに接近させて
押さえ部２０Ａと受座部２Ａとの間に挿入し、その押圧Ｐを解除するだけで、該調整ばね
２１の両端部２１ｂ，２１ｃの先端に一体突設した係合片２２が押さえ部２０Ａ及び受座
部２Ａに形成した各係合孔２３に係合されるから、傾角調整作業中に、その調整ばね２１
が押さえ部２０Ａと受座部２Ａとの間から不測に外れるおそれがなく、傾角調整作業を円
滑に行うことができる。
【００３０】
更に、接着剤ＵＶによるアクトベース２の固定終了後、調整ばね２１の両端部２１ｂ，
２１ｃを押圧Ｐすることにより互いに接近させて各係合片２２を各係合孔２３から抜き出
し、該調整ばね２１を引っ張るだけで、その調整ばね２１を押さえ部２０Ａと受座部２Ａ
との間から簡単に離脱させることができ、微調整を終えたアクトベース２の位置が狂うお
それがない。
【００３１】
図６及び図７は本発明の第２の実施の形態である光ピックアップの要部を示すものであ
って、調整ばね２１の両端部２１ｂ，２１ｃ間に間隔保持ばね２５が介在されると共に、
その調整ばね２１の両端部２１ｂ，２１ｃを部分的に切り起こして形成した舌片２６が互
いに接近する方向に折り曲げられて前記間隔保持ばね２５の両端部に係合されている。上
記以外の構成及び傾角調整手順は図１〜図５に示す第１の実施の形態とほぼ同じであるか
ら、同一部分に同一符号を付してその説明を省略する。
【００３２】
上記構成によれば、第１の実施の形態（図１〜図５参照）とほぼ同じ効果を得ることが
でき、特に、間隔保持ばね２５により調整ばね２１の両端部２１ｂ，２１ｃ間の間隔ｍが
所定通りに保持されているので、該調整ばね２１の両端部２１ｂ，２１ｃを押さえ部２０
Ａと受座部２Ａとに確実に押し付けて、所望のばね力Ｆを発生させることができる。
【００３３】
しかも、間隔保持ばね２５を調整ばね２１の両端部２１ｂ，２１ｃ間に差し込んで舌片
２６に係合させるだけで、該間隔保持ばね２５を所定位置に確実に係止してその位置から
不測に外れないようにすることができる。
【図面の簡単な説明】
【００３４】
【図１】本発明の第１の実施の形態である光ピックアップを示す平面図である。
【図２】同一部切欠き側面図である。
【図３】図１のＡ−Ａ矢視図である。
【図４】同要部の分解斜視図である。
【図５】（ａ）は同調整ばねの挿入手順を示す要部の縦断面図、（ｂ）は同調整ばねの離脱手順を示す要部の横断面図である。
【図６】本発明の第２の実施の形態である光ピックアップの要部を示す斜視図である。
【図７】（ａ）は同調整ばねの挿入手順を示す要部の縦断面図、（ｂ）は同調整ばねの離脱手順を示す要部の横断面図である。
【図８】従来例を示す平面図である。
【図９】同縦断面図である。
【図１０】図８のＢ−Ｂ矢視図である。
【符号の説明】
【００３５】
１              オプチベース
２              アクトベース
２Ａ            受座部
４              レンズホルダ
１１            ねじ孔
１２            貫通孔
１３            傾角調整ボルト
１６            支持ボルト
２１            調整ばね
２０Ａ          押さえ部
２１            調整ばね
２１ａ          調整ばねの中央部
２１ｂ，２１ｃ  調整ばねの両端部
２２            係合片
２３            係合孔
２５            間隔保持ばね
２６            舌片
ＯＬ            対物レンズ
ＵＶ            紫外線硬化性接着剤
Ｏ１            対物レンズの光軸
Ｏ２            レーザ光の光軸
【図１】
2007179616.tif 000003
【図２】
2007179616.tif 000004
【図３】
2007179616.tif 000005
【図４】
2007179616.tif 000006
【図５】
2007179616.tif 000007
【図６】
2007179616.tif 000008
【図７】
2007179616.tif 000009
【図８】
2007179616.tif 000010
【図９】
2007179616.tif 000011
【図１０】
2007179616.tif 000012